(57)【特許請求の範囲】
【請求項１】
底面前縁部に開口された空気取入口を有し正面が開放された矩形状の外箱と、
前記外箱に収容されるとともに正面が開放された加熱室を区画する矩形状の内箱と、
前記外箱および前記内箱の底面間の隙間に収容されて左右のいずれか一方に配置されて前記加熱室内へマイクロ波を照射する加熱部と、
前記加熱部の前側または後側に配置されて前記加熱部の周囲に前記隙間の前方から後方へ向かう冷却風を発生させる第一ファンと、
前記底面間の隙間に収容されて左右のいずれか他方に配置されて前記加熱部に電力を供給するインバータ回路板と、
前記インバータ回路板の前側または後側に配置されて前記インバータ回路板の周囲に前記隙間の前方から後方へ向かう冷却風を発生させる第二ファンと、
前記インバータ回路板を覆い前記インバータ回路板を冷却した冷却風を前記外箱および前記内箱の左右いずれか他方側の側面間の隙間へ導くダクトと、
前記側面間の隙間に配置されて前記加熱室内を照らす照明装置と、
前記側面間の隙間に配置されて前記加熱室内の温度を検知する温度センサと、
前記ダクトに接続されて前記側面間の隙間を上方へ延びるとともに前記照明装置および前記温度センサを覆う第二ダクトと、を備えたことを特徴とする加熱調理器。
【請求項２】
前記加熱室内に設けられた熱風ファンと、
前記外箱および前記内箱の背面間の隙間に収容されて前記熱風ファンを駆動させるモータと、を備え、
前記加熱部を冷却した冷却風を前記背面間の隙間に導いて前記モータを冷却させることを特徴とする請求項１に記載の加熱調理器。
【請求項３】
前記底面間の隙間に収容されて前記第一ファンおよび前記第二ファンよりも前側かつ前記空気取入口近傍に配置された制御回路板を備えたことを特徴とする請求項１または２に記載の加熱調理器。
【請求項４】
前記外箱の底面を構成する底板を備え、
前記空気取入口は、前記底板の略全幅に渡り形成された少なくとも１つの開口であることを特徴とする請求項１から３のいずれか１項に記載の加熱調理器。
【発明の詳細な説明】
【技術分野】
【０００１】
本発明に係る実施形態は加熱調理器に関する。
【背景技術】
【０００２】
外郭としての外箱および加熱室を区画する内箱の底面間の隙間に電気部品を収容して、外箱の底面中央部もしくは底面後部に配置した空気取入口から冷却用の空気を取り込んで電気部品を冷却する加熱調理器が知られている。
【先行技術文献】
【特許文献】
【０００３】
【特許文献１】特開２００６−１７７５９３号公報
【特許文献２】特開２００９−８２９７号公報
【発明の概要】
【発明が解決しようとする課題】
【０００４】
近年、加熱調理器は、その設置場所を極力有効に活用できるよう、背面や側面を設置場所の壁面に当接させて設置可能なものが好まれる。
【０００５】
このように加熱調理器の側面や背面を設置場所の壁面に当接させて設置する場合、加熱調理器を構成するマグネトロンやインバータ回路、制御回路板などの電気部品を適宜に冷却する必要が生じる。
【０００６】
ところが、外箱の底面中央部もしくは底面後部に配置した空気取入口から冷却用の空気を取り込んで電気部品を冷却する加熱調理器では、背面や側面を設置場所の壁面に当接させて設置すると、外箱と設置場所の壁面との間に熱気が滞留し、この滞留した熱気を空気取入口から取り込んでしまって電気部品を適切に冷却できない。
【０００７】
そこで、本発明は、背面や側面を設置場所の壁面に当接させて設置しても、新鮮な空気を取り込んで電気部品を冷却可能な加熱調理器を提供することを目的とする。
【課題を解決するための手段】
【０００８】
前記の課題を解決するため本発明の実施形態に係る加熱調理器は、底面前縁部に開口された空気取入口を有し正面が開放された矩形状の外箱と、前記外箱に収容されるとともに正面が開放された加熱室を区画する矩形状の内箱と、前記外箱および前記内箱の底面間の隙間に収容されて左右のいずれか一方に配置されて前記加熱室内へマイクロ波を照射する加熱部と、前記加熱部の前側または後側に配置されて前記加熱部の周囲に前記隙間の前方から後方へ向かう冷却風を発生させる第一ファンと、前記底面間の隙間に収容されて左右のいずれか他方に配置されて前記加熱部に電力を供給するインバータ回路板と、前記インバータ回路板の前側または後側に配置されて前記インバータ回路板の周囲に前記隙間の前方から後方へ向かう冷却風を発生させる第二ファンと、前記インバータ回路板を覆い前記インバータ回路板を冷却した冷却風を前記外箱および前記内箱の左右いずれか他方側の側面間の隙間へ導くダクトと、前記側面間の隙間に配置されて前記加熱室内を照らす照明装置と、前記側面間の隙間に配置されて前記加熱室内の温度を検知する温度センサと、前記ダクトに接続されて前記側面間の隙間を上方へ延びるとともに前記照明装置および前記温度センサを覆う第二ダクトと、を備えたことを特徴とする。
【図面の簡単な説明】
【０００９】
【図１】本発明の実施形態に係る加熱調理器を示した正面図。
【図２】本発明の実施形態に係る加熱調理器を示した底面図。
【図３】本発明の実施形態に係る加熱調理器から底板を取り除いて示した底面図。
【図４】図３のＩＶ−ＩＶにおいて本発明の実施形態に係る加熱調理器を示した断面図。
【図５】図３のＶ−Ｖにおいて本発明の実施形態に係る加熱調理器を示した断面図。
【図６】本発明の実施形態に係る加熱調理器の熱風ファンおよびモータを示した断面図。
【図７】本発明の実施形態に係る加熱調理器の設置状態における冷却風の循環状況を示した側面図。
【発明を実施するための形態】
【００１０】
以下、本発明に係る加熱調理器の実施の形態について、図１から図７を参照して説明する。
【００１１】
図１は、本発明の実施形態に係る加熱調理器を示した正面図である。
【００１２】
図１に示すように、本実施形態に係る加熱調理器１は、前面が開放された矩形状の外箱３と、外箱３に収容されるとともに正面が開放された加熱室５を区画する矩形状の内箱６と、外箱３および内箱６の前面を塞いで上下に開閉自在な加熱室５の扉７と、を備える。
【００１３】
扉７は、前面上部に設けられた手掛部８と、前面下部に設けられた複数の操作部９および操作部９に併設された表示部１１からなる操作パネル１２と、を備える。
【００１４】
操作部９は、加熱調理器１の調理メニュー、加熱継続時間（調理時間）、調理時の加熱室５の温度（調理温度）などの加熱条件を設定するためのものである。また、操作部９は、主電源スイッチ１３を備える。
【００１５】
表示部１１は、選択された調理メニュー、設定された調理時間および調理温度などの加熱条件や調理機能を表示するためのものである。
【００１６】
図２は、本発明の実施形態に係る加熱調理器を示した底面図である。
【００１７】
図２に示すように、加熱調理器１は、外箱３の底面を構成する底板１５を備え、外箱３の底面前縁部（すなわち、底板１５の前縁部）に開口された空気取入口１６を有する。空気取入口１６は、底板１５の略全幅に渡り形成された少なくとも１つの開口であり、本実施形態においては、スリット状の複数の開口から構成された開口群である。
【００１８】
図３は、本発明の実施形態に係る加熱調理器から底板を取り除いて示した底面図である。
【００１９】
図３に示すように、本実施形態に係る加熱調理器１は、外箱３および内箱６の底面間の隙間１７に収容されて左右のいずれか一方（ここでは右側）に配置されて加熱室５内へマイクロ波を照射するマグネトロン１８（加熱部）と、マグネトロン１８の前側または後側（ここでは前側）に配置されてマグネトロン１８の周囲に隙間１７の前方から後方へ向かう冷却風（図３中、実線矢Ｗ１）を発生させるマグネトロン用ファン１９（第一ファン）と、底面間の隙間１７に収容されて左右のいずれか他方（ここでは左側）に配置されてマグネトロン１８に電力を供給するインバータ回路板２１と、インバータ回路板２１の前側または後側に配置されてインバータ回路板２１の周囲に隙間１７の前方から後方へ向かう冷却風（図３中、実線矢Ｗ２）を発生させるインバータ回路用ファン２２（第二ファン）と、インバータ回路板２１を覆いインバータ回路板２１を冷却した冷却風を外箱３および内箱６の左右いずれか他方側（ここでは左側）の側面間の隙間２５へ導く底部ダクト２６（ダクト）と、底部ダクト２６と内箱６との間に設けられた断熱材２７と、を備える。
【００２０】
底部ダクト２６は、側面間の隙間２５に配置された側部ダクト２８（第二ダクト）に連通された連通口２９と、側面間の隙間２５に直接的に冷却風を送る開口３１と、を有する。
【００２１】
断熱材２７は、加熱室５からインバータ回路板２１に伝わる熱を遮断する。
【００２２】
加熱調理器１は、マグネトロン１８を発振させて加熱室５内にマイクロ波を照射し、加熱室５内の被加熱物をマイクロ波加熱して食品調理を行う。このとき、マグネトロン１８に電力を供給するインバータ回路板２１の電子部品（図示省略）、例えばＩＧＢＴ（図示省略）などがスイッチング損失により発熱し、さらにマグネトロン１８自体が発振損失により発熱する。そこで、加熱調理器１は、主にマグネトロン１８を冷却するマグネトロン用ファン１９と、主にインバータ回路板２１を冷却するインバータ回路用ファン２２を備え、それぞれの装置の発熱による温度上昇を抑制する。
【００２３】
また、加熱調理器１は、底面間の隙間１７に収容されてマグネトロン用ファン１９およびインバータ回路用ファン２２よりも前側かつ空気取入口１６近傍に配置された制御回路板３３を備える。制御回路板３３は、操作部９の主電源スイッチ１３をＯＮすることによって電源が供給されて起動する制御回路（図示省略）を備える。この制御回路は、表示部１１の表示制御、メモリ（図示省略）に記憶された調理メニューのプログラムに基づくマグネトロン１８の駆動制御を行う。
【００２４】
制御回路板３３は、表示部１１の表示制御やマグネトロン１８の駆動制御などの制御を行うことによって発熱する。そこで、加熱調理器１は、底板１５の前縁部に開口された空気取入口１６から空気を取り込み、この空気をマグネトロン用ファン１９またはインバータ回路用ファン２２に吸い込ませる過程で、空気取入口１６とファン１９、２２との間に配置された制御回路板３３を冷却する。
【００２５】
図４は、図３のＩＶ−ＩＶにおいて本発明の実施形態に係る加熱調理器を示した断面図である。
【００２６】
図４に示すように、本実施形態に係る加熱調理器１は、外箱３および内箱６の左右いずれか他方側（ここでは左側）の側面間の隙間２５に配置されて加熱室５内を照らす照明装置３５と、側面間の隙間２５に配置されて加熱室５内の温度を検知する温度センサ３６と、底部ダクト２６に接続されて側面間の隙間２５を上方へ延びるとともに照明装置３５および温度センサ３６を覆う側部ダクト２８と、を備える。
【００２７】
照明装置３５は、被加熱物の状況を確認できるように加熱室５内を照らすものであり、加熱室５に照射されるマイクロ波の影響を受けないようにパンチング孔（図示省略）を介して側面間の隙間２５に配置される。
【００２８】
温度センサ３６は、加熱室５内の全体を検出領域とする赤外線センサからなるものである。温度センサ３６が出力する温度信号は、加熱室５内の被加熱物の表面温度の高低に応じて変化する。温度センサ３６は、制御回路板３３に電気的に接続される。
【００２９】
照明装置３５は発光によって発熱し、温度センサ３６は加熱室５内の熱によって加熱される。そこで、加熱調理器１は、底部ダクト２６からインバータ回路板２１を冷却した冷却風（図４中、実線矢Ｗ３）を側部ダクト２８を通じて照明装置３５および温度センサ３６に送り込み、これらを冷却する。
【００３０】
また、加熱調理器１は、側面間の隙間２５に配置されて扉７の開閉を規制するロック機構３８を備える。ロック機構３８は、加熱室５内を加熱時に使用者による不注意な開閉を防ぐために扉７を閉じた状態で開閉を規制する。また、ロック機構３８は、扉７の開閉状態を検出するマイクロスイッチ（図示省略）を備える。
【００３１】
そして、加熱調理器１は、底部ダクト２６の開口３１から側面間の隙間２５に送り込まれた冷却風（図４中、実線矢Ｗ４）によってロック機構３８（より詳しくは、マイクロスイッチ）を冷却する。
【００３２】
図５は、図３のＶ−Ｖにおいて本発明の実施形態に係る加熱調理器を示した断面図である。
【００３３】
図５に示すように、本実施形態に係る加熱調理器１は、加熱室５内に設けられた熱風ファン４１と、加熱室５内に設けられて熱風ファン４１の周囲に配置されたヒータ４２と、外箱３および内箱６の背面間の隙間４５に収容されて熱風ファン４１を駆動させるモータ４６と、を備える。熱風ファン４１は、内箱６の背面近傍に配置された遠心ファンである。
【００３４】
熱風ファン４１およびヒータ４２は、内箱６の背面を外箱３側へ突出させた凸部４８に収容され、加熱室５に収容される被加熱物の邪魔にならない。他方、モータ４６は、内箱６の背面を外向きに突出させた凸部４９に収容される。
【００３５】
加熱調理器１は、ヒータ４２を加熱し、熱風ファン４１を回転させることによって加熱室５内に熱風を循環させて電熱加熱によりグリル調理やオーブン調理を行う。このとき、モータ４６自体が発熱する。
【００３６】
一方、加熱調理器１の外箱３、より詳しくは底板１５は、前端部に凹没状の段差部１５ａを有する。空気取入口１６は、段差部１５ａを構成するそれぞれの面に開口されて加熱調理器１の前面下方から底面間の隙間１７に空気を取り込む。マグネトロン用ファン１９は、空気取入口１６から隙間１７に空気を取り込まれた空気でマグネトロン１８を冷却し、このマグネトロンを冷却した空気をさらに背面間の隙間４５に導く。
【００３７】
そして、加熱調理器１は、マグネトロン１８を冷却した冷却風を背面間の隙間４５に導いてモータ４６を冷却する。
【００３８】
また、加熱調理器１は、外箱３の背面上部に設けられた排気カバー５１を備える。
【００３９】
空気取入口１６から取り込まれて制御回路板３３、マグネトロン１８、インバータ回路板２１、ロック機構３８、照明装置３５、温度センサ３６およびモータ４６を冷却した空気は、背面間の隙間４５で合流し、外箱３の背面上部に開口された排気口５３を通って外箱３と内箱６との隙間から吐き出される。
【００４０】
排気カバー５１は、排気口５３を覆うとともに外箱３の天面よりも上方に突出された吹出口を有し、外箱３と内箱６との隙間から吐き出された空気を外箱３の天面に沿わせて加熱調理器１の前面側へと向かわせる。
【００４１】
図６は、本発明の実施形態に係る加熱調理器の熱風ファンおよびモータを示した断面図である。
【００４２】
図６に示すように、本実施形態に係る加熱調理器１は、内箱６の背面に加熱室５側へ突出させた円錐台形状の凸部５５と、凸部５５の略中心に駆動軸４６ａを配置させたモータ４６と、駆動軸４６ａに回転一体に固定されて凸部５５に収容されたモータ用ファン５６と、を備える。
【００４３】
加熱室５内に配置された熱風ファン４１は、凸部５５の突出高さと略同等の回転軸方向厚さを有する。
【００４４】
加熱調理器１は、マグネトロン１８を冷却した冷却風を背面間の隙間４５に導いてモータ４６を冷却すると同時に、熱風ファン４１とともに回転するモータ用ファン５６によってモータ４６を冷却する。
【００４５】
図７は、本発明の実施形態に係る加熱調理器の設置状態における冷却風の循環状況を示した側面図である。
【００４６】
図７に示した本実施形態に係る加熱調理器１は、その側面や背面を設置場所の壁面Ｔに当接させて配置される。この設置状態で加熱調理器１を運転（マイクロ波加熱による食品調理または電熱加熱によるグリル調理運転やオーブン調理運転）させると、図７中の実線矢および破線矢のように、底部の前縁近傍に配置された空気取込口から空気を取り入れて外箱３と内箱６との隙間を適宜に流動させて背面上部に設けられた排気カバー５１から外箱３の天面に沿わせて加熱調理器１の前面側へと排気する。
【００４７】
一般に、温められた空気は、冷たい空気よりも比重が軽く上昇するので、加熱調理器１は、比較的に低温な雰囲気である正面下方または底面前方の空気を取り込み、制御回路板３３、マグネトロン１８、インバータ回路板２１、ロック機構３８、照明装置３５、温度センサ３６およびモータ４６といった電気部品を冷却し、冷却によって暖められた空気を加熱調理器１の上方、特に前上方へと排気する。すなわち、本実施形態に係る加熱調理器１によれば、一旦冷却に用いられ暖められた空気が正面下方または底面前方の空気に混ざり合うことが抑制され、熱がこもらない。
【００４８】
また、本実施形態に係る加熱調理器１によれば、インバータ回路板２１を底部ダクト２６で覆うことによってマグネトロン１８とは独立した冷却が可能になり、熱設計上の自由度が向上する。
【００４９】
さらに、本実施形態に係る加熱調理器１によれば、一般に熱的制約条件の厳しい（使用可能な温度範囲が狭い）半導体素子を多数有する制御回路板３３を他の電子部品に影響されることなく確実に冷却できる。
【００５０】
さらにまた、本実施形態に係る加熱調理器１によれば、側部ダクト２８によって照明装置３５および温度センサ３６へ冷却風を確実に導いて冷却できるとともに、照明装置３５および温度センサ３６周囲の圧力を高めて加熱室５から流れ込む熱気の影響を低減できる。
【００５１】
また、本実施形態に係る加熱調理器１によれば、マイクロ波加熱による食品調理運転の際はマグネトロン用ファン１９をマグネトロン１８の冷却に使用し、電熱加熱によるグリル調理運転やオーブン調理運転の際は、マグネトロン用ファン１９をモータ４６の冷却に使用できる。
【００５２】
さらに、本実施形態に係る加熱調理器１によれば、排気風を外箱３の天面に沿わせて排気するので、外箱３の天面が著しく高温になることが抑制できる。
【００５３】
したがって、本発明の実施形態に係る加熱調理器１によれば、背面や側面を設置場所の壁面に当接させて設置しても、新鮮な空気を取り込んで電気部品を冷却できる。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１  加熱調理器
３  外箱
５  加熱室
６  内箱
７  扉
８  手掛部
９  操作部
１１  表示部
１２  操作パネル
１３  主電源スイッチ
１５  底板
１５ａ  段差部
１６  空気取入口
１７  隙間
１８  マグネトロン
１９  マグネトロン用ファン
２１  インバータ回路板
２２  インバータ回路用ファン
２５  隙間
２６  底部ダクト
２７  断熱材
２８  側部ダクト
２９  連通口
３１  開口
３３  制御回路板
３５  照明装置
３６  温度センサ
３８  ロック機構
４１  熱風ファン
４２  ヒータ
４５  隙間
４６  モータ
４６ａ  駆動軸
４８  凸部
４９  凸部
５１  排気カバー
５３  排気口
５５  凸部
５６  モータ用ファン
【図１】
0005542563.tif 000002
【図２】
0005542563.tif 000003
【図３】
0005542563.tif 000004
【図４】
0005542563.tif 000005
【図５】
0005542563.tif 000006
【図６】
0005542563.tif 000007
【図７】
0005542563.tif 000008